(57)【要約】【課題】切起し片が切り起こされた状態を保持して利便性を向上できる包装箱を提供する。【解決手段】対向する一対の対向部３１を含む切断線３０と、対向部３１の一端を連結した折り線４０から成るヒンジ部４３とを備え、切断線３０上で切断することによりヒンジ部４３上で切り起し可能な切起し片２０が形成される包装箱１において、対向部３１上に内側に突出して形成される係止部３２と、係止部３２とヒンジ部４３との間で対向部３１を連結した折り線４０から成る第１折返し部４１と、係止部３２に対してヒンジ部４３の反対側の対向部３１を連結してヒンジ部４３側に凸の折り線４０から成る第２折返し部４２とを設け、係止部３２に対してヒンジ部４３の反対側の所定位置で対向部３１間の距離Ｌ１を係止部３２のヒンジ部４３側の根元３２ｂ間の距離Ｌ２よりも大きくした。【選択図】図３
2019099243.tif 000002
【特許請求の範囲】
【請求項１】
対向する一対の対向部を含む切断線と、前記対向部の一端を連結した折り線から成るヒンジ部とを備え、前記切断線上で切断することにより前記ヒンジ部上で切り起し可能な切起し片が形成される包装箱において、前記対向部上に内側に突出して形成される係止部と、前記係止部と前記ヒンジ部との間で前記対向部を連結した折り線から成る第１折返し部と、前記係止部に対して前記ヒンジ部の反対側の前記対向部を連結して前記ヒンジ部側に凸の折り線から成る第２折返し部とを設け、前記係止部に対して前記ヒンジ部の反対側の所定位置で前記対向部間の距離が前記係止部の前記ヒンジ部側の根元間の距離よりも大きいことを特徴とする包装箱。
【請求項２】
前記係止部に対して前記ヒンジ部の反対側の前記対向部上に内側に突出する凹部を設け、前記切起し片が切り起された際に前記凹部上で前記係止部に係止されることを特徴とする請求項１に記載の包装箱。
【請求項３】
前記第１折返し部が前記ヒンジ部の反対側に凸に形成され、前記第１折返し部の頂点と前記第２折返し部の頂点とが一致することを特徴とする請求項１または請求項２に記載の包装箱。
【請求項４】
前記第１折返し部及び前記第２折返し部がＶ字状に形成され、前記第１折返し部のＶ字の二辺がそれぞれ前記第２折返し部のＶ字の二辺と一直線上に配されることを特徴とする請求項３に記載の包装箱。
【請求項５】
前記切起し片上の前記対向部間の中央に配した縦方向に延びる折り線を設けたことを特徴とする請求項１〜請求項４のいずれかに記載の包装箱。
【請求項６】
前記対向部が前記係止部と前記ヒンジ部との間で、前記ヒンジ部の両端から延びて前記第２折返し部に到達する第１分割部と、前記係止部から延びて前記第１分割部に対向する第２分割部とに分割され、前記第１分割部と前記第２分割部とを連結する折り線から成る第１折曲部を設けたことを特徴とする請求項１〜請求項５のいずれかに記載の包装箱。
【請求項７】
前記第１折曲部が前記第１折返し部と一直線上に配されることを特徴とする請求項６に記載の包装箱。
【請求項８】
前記第１分割部と前記第２折返し部との交点と、前記対向部とを連結して前記第１折曲部に平行な折り線から成る第２折曲部を設けたことを特徴とする請求項６または請求項７に記載の包装箱。
【請求項９】
上下に対向する天面板及び底面板と、前後に対向する前面板及び背面板とを備え、前記対向部の少なくとも一部を前記天面板上に設けるとともに前記天面板の後部に前記ヒンジ部を配置し、前記切起し片によって前方から開閉可能な蓋が形成されることを特徴とする請求項１〜請求項８のいずれかに記載の包装箱。
【請求項１０】
前記底面板上に所定の図柄が形成され、前記底面板を前面に配した際に前記切起し片によってスタンドが形成されることを特徴とする請求項９に記載の包装箱。
【請求項１１】
上下面を閉じた胴部の前面に配される前面板の下部に前記ヒンジ部を配置し、前記切起し片が上方から切り起し可能に形成されることを特徴とする請求項１〜請求項８のいずれかに記載の包装箱。
【発明の詳細な説明】
【技術分野】
【０００１】
本発明は、切断線上で切断することにより切り起し可能な切起し片が形成される包装箱に関する。
【背景技術】
【０００２】
切起し片を形成可能な包装箱は特許文献１に開示される。この包装箱は上下に天面板及び底面板が対向して前後に前面板及び背面板が対向し、両側面に側面板が配される。前面板の前面には天面板の前端から折曲されるフラップが貼着される。
【０００３】
天面板及びフラップ上には左右に対向した二条のミシン目から成る切断線が設けられる。切断線は後端を天面板と背面板との境界の折り線上に配され、前方に延びてフラップの下端に到達する。切断線の左右方向の間隔はフラップ上で狭められ、使用者が摘持する摘持部が形成される。
【０００４】
摘持部を摘持して後方に向かって引くとフラップ及び天面板が切断線上で切断され、包装箱が開封される。これにより、切断線を外縁とする切起し片が天面板の後端の折り線上で切り起され、包装箱の内容物が取り出される。また、切起し片の前端を前面板上に配置すると包装箱が閉じられ、切起し片によって開閉可能な蓋が形成される。
【先行技術文献】
【特許文献】
【０００５】
【特許文献１】特開平０９−１９３９２６号公報（第２頁〜第３頁、第１図）
【発明の概要】
【発明が解決しようとする課題】
【０００６】
しかしながら、上記従来の包装箱によると、切起し片により形成される蓋は切り起こされた状態を保持されないため自重により閉じられる。このため、内容物を取り出す度に蓋を開く必要があり、包装箱の利便性が悪い問題があった。
【０００７】
また、開閉可能な蓋に限られず、切起し片が切り起こされた状態を保持されると他の用途に切起し片を使用することができ、包装箱の利便性を向上することができる。
【０００８】
本発明は、切起し片が切り起こされた状態を保持して利便性を向上できる包装箱を提供することを目的とする。
【課題を解決するための手段】
【０００９】
上記目的を達成するために本発明は、対向する一対の対向部を含む切断線と、前記対向部の一端を連結した折り線から成るヒンジ部とを備え、前記切断線上で切断することにより前記ヒンジ部上で切り起し可能な切起し片が形成される包装箱において、前記対向部上に内側に突出して形成される係止部と、前記係止部と前記ヒンジ部との間で前記対向部を連結した折り線から成る第１折返し部と、前記係止部に対して前記ヒンジ部の反対側の前記対向部を連結して前記ヒンジ部側に凸の折り線から成る第２折返し部とを設け、前記係止部に対して前記ヒンジ部の反対側の所定位置で前記対向部間の距離が前記係止部の前記ヒンジ部側の根元間の距離よりも大きいことを特徴としている。
【００１０】
この構成によると、切断線上で切断して切り起こされる切起し片がヒンジ部上で山折りされ、第１折返し部及び第２折返し部上で谷折りされて包装箱の外側に突出する。切起し片は対向部の対向する方向に圧縮して曲げられ、係止部により係止される。
【００１１】
また本発明は上記構成の包装箱において、前記係止部に対して前記ヒンジ部の反対側の前記対向部上に内側に突出する凹部を設け、前記切起し片が切り起された際に前記凹部上で前記係止部に係止されることを特徴としている。
【００１２】
また本発明は上記構成の包装箱において、前記第１折返し部が前記ヒンジ部の反対側に凸に形成され、前記第１折返し部の頂点と前記第２折返し部の頂点とが一致することを特徴としている。
【００１３】
また本発明は上記構成の包装箱において、前記第１折返し部及び前記第２折返し部がＶ字状に形成され、前記第１折返し部のＶ字の二辺がそれぞれ前記第２折返し部のＶ字の二辺と一直線上に配されることを特徴としている。
【００１４】
また本発明は上記構成の包装箱において、前記切起し片上の前記対向部間の中央に配した縦方向に延びる折り線を設けたことを特徴としている。
【００１５】
また本発明は上記構成の包装箱において、前記対向部が前記係止部と前記ヒンジ部との間で、前記ヒンジ部の両端から延びて前記第２折返し部に到達する第１分割部と、前記係止部から延びて前記第１分割部に対向する第２分割部とに分割され、前記第１分割部と前記第２分割部とを連結する折り線から成る第１折曲部を設けたことを特徴としている。
【００１６】
また本発明は上記構成の包装箱において、前記第１折曲部が前記第１折返し部と一直線上に配されることを特徴としている。
【００１７】
また本発明は上記構成の包装箱において、前記第１分割部と前記第２折返し部との交点と、前記対向部とを連結して前記第１折曲部に平行な折り線から成る第２折曲部を設けたことを特徴としている。
【００１８】
また本発明は上記構成の包装箱において、上下に対向する天面板及び底面板と、前後に対向する前面板及び背面板とを備え、前記対向部の少なくとも一部を前記天面板上に設けるとともに前記天面板の後部に前記ヒンジ部を配置し、前記切起し片によって前方から開閉可能な蓋が形成されることを特徴としている。
【００１９】
また本発明は上記構成の包装箱において、前記底面板上に所定の図柄が形成され、前記底面板を前面に配した際に前記切起し片によってスタンドが形成されることを特徴としている。
【００２０】
また本発明は上記構成の包装箱において、上下面を閉じた胴部の前面に配される前面板の下部に前記ヒンジ部を配置し、前記切起し片が上方から切り起し可能に形成されることを特徴としている。
【発明の効果】
【００２１】
本発明によると、対向部上に内側に突出した係止部に対してヒンジ部側に第１折返し部を設けて反対側に第２折返し部を設け、所定位置の対向部間の距離が係止部のヒンジ部側の根元間の距離よりも大きい。これにより、切断線上で切断して切り起こされた切起し片の両側端を係止部により係止し、切起し片が切り起こされた状態を保持することができる。従って、包装箱の利便性を向上することができる。
【図面の簡単な説明】
【００２２】
【図１】本発明の第１実施形態の包装箱を示す斜視図
【図２】本発明の第１実施形態の包装箱のブランク板を示す平面図
【図３】本発明の第１実施形態の包装箱の開封後の状態を示す斜視図
【図４】本発明の第１実施形態の包装箱の開封後の状態を示す要部上面図
【図５】本発明の第２実施形態の包装箱を示す斜視図
【図６】本発明の第２実施形態の包装箱のブランク板を示す平面図
【図７】本発明の第２実施形態の包装箱の開封後の状態を示す斜視図
【図８】本発明の第２実施形態の包装箱の開封後の状態を示す要部上面図
【図９】本発明の第２実施形態の包装箱の開封後に立設した状態を示す側面図
【図１０】本発明の第３実施形態の包装箱を示す斜視図
【図１１】本発明の第３実施形態の包装箱のブランク板を示す平面図
【図１２】本発明の第３実施形態の包装箱の開封後の状態を示す斜視図
【発明を実施するための形態】
【００２３】
＜第１実施形態＞
以下に図面を参照して本発明の実施形態を説明する。図１は第１実施形態の包装箱の斜視図を示している。包装箱１はブランク板６（図２参照）を折曲して形成され、菓子等の内容物を収納する。
【００２４】
包装箱１は上下に天面板１３及び底面板１４（図２参照）が対向し、前後に前面板１１及び背面板１２（図２参照）が対向する。包装箱１の両側面には側面板１５（図２参照）及び側面板１６が配される。前面板１１の前面には天面板１３の前端から折曲される前面フラップ１７が貼着される。
【００２５】
天面板１３及び前面フラップ１７上には前後に延びたミシン目から成る切断線３０（図中、太線の破線で示す）が設けられる。切断線３０によって開封後に切り起こされる切起し片２０が形成される。切断線３０は左右に対向する一対の対向部３１により二条に形成される。
【００２６】
対向部３１の後端は天面板１３と背面板１２との境界の折り線４０（図３参照）上に配される。対向部３１間の折り線４０によって切起し片２０のヒンジ部４３が形成される。また、対向部３１は前面フラップ１７上で左右方向の間隔を狭められて使用者が摘持する摘持部２１を形成し、前面フラップ１７の下端に到達する。
【００２７】
図２は包装箱１を形成するブランク板６の平面図を示している。ブランク板６及び後述するブランク板７、８（図６、図１１参照）は板紙、樹脂シート等のシート状部材の打ち抜きにより形成される。これらの図において、折り線４０を細線の一点鎖線で示し、切断可能なミシン目の切断線３０を太線の破線で示している。
【００２８】
ブランク板６は前面板１１、底面板１４、背面板１２、天面板１３及び前面フラップ１７が折り線４０を介して順に連設される。前面板１１には左右に延びた切込みから成る差込み口１１ａが設けられる。天面板１３の両側方には折り線４０を介して側面板１５、１６が連設される。底面板１４の両側方には折り線４０を介して糊代１８ａが設けられる。背面板１２及び前面フラップ１７の両側方にはそれぞれ折り線４０を介して側面フラップ１９ａが設けられる。
【００２９】
各折り線４０上を山折りして側面フラップ１９ａの外面に糊代１８ａが配され、糊代１８ａの外面に側面板１５、１６が貼着される。また、前面板１１の外面には両側端部で前面フラップ１７が貼着される。これにより、包装箱１（図１参照）が形成される。
【００３０】
切起し片２０は切断線３０により外縁を形成され、切起し片２０の内部には折り線４０によって第１折返し部４１及び第２折返し部４２が形成される。
【００３１】
切断線３０を形成する左右一対の対向部３１の一端は折り線４０から成るヒンジ部４３により連結され、ヒンジ部４３から互いに離れる方向に傾斜して延びる。傾斜した対向部３１上には内側に突出する係止部３２が設けられる。対向部３１は係止部３２の前方（ヒンジ部４３の反対側）の根元３２ａから前方に向かって天面板１３上を平行に延びる。この時、係止部３２に対してヒンジ部４３の反対側の対向部３１間の距離Ｌ１は係止部３２の後方（ヒンジ部４３側）の根元３２ｂ間の距離Ｌ２よりも大きくなっている。
【００３２】
また、対向部３１は前面フラップ１７上で左右の間隔を狭めた摘持部２１を形成して前面フラップ１７の下端に到達する。摘持部２１上には円弧状の切込みによって差込み片２１ａが設けられ、差込み片２１ａの両側端から対向部３１上に延びる折り線４０が一直線状に配される。
【００３３】
第１折返し部４１は係止部３２とヒンジ部４３との間の対向部３１を連結し、ヒンジ部４３の反対側に凸のＶ字状に形成される。第２折返し部４２は係止部３２の前方の根元３２ａを連結し、ヒンジ部４３側に凸のＶ字状に形成される。また、第１折返し部４１のＶ字の二辺はそれぞれ第２折返し部４２のＶ字の二辺と一直線上に配され、第１折返し部４１及び第２折返し部４２の頂点が同じ点Ｐ上に配される。
【００３４】
図３、図４は開封後の包装箱１の斜視図及び要部上面図を示している。図４において、外面から見て谷折りの折り線４０は二点鎖線で示している。摘持部２１を摘持して後方に向かって引くと前面フラップ１７及び天面板１３が切断線３０上で切断され、包装箱１が開封される。これにより、切断線３０を外縁としてヒンジ部４３上で切り起し可能な切起し片２０が形成される。
【００３５】
切起し片２０を切り起こすことによって天面板１３上には開口部４が形成され、開口部４を介して内容物が取り出される。切起し片２０により開口部４を閉じると、差込み口１１ａに差込み片２１ａが差し込まれて閉じた状態が保持される。これにより、切起し片２０によって開閉可能な蓋が形成される。
【００３６】
開封後の切起し片２０はヒンジ部４３上で開口部４の内側に山折りされ、第１折返し部４１及び第２折返し部４２上で谷折りされる。切起し片２０は係止部３２よりも前方の所定位置の両側端を係止部３２の後方の根元３２ｂにより係止され、根元３２ｂ上から開口部４の外側に突出する。
【００３７】
根元３２ｂに係止される切起し片２０の左右幅（距離Ｌ１、図２参照）は根元３２ｂ間の距離Ｌ２（図２参照）よりも大きいため、切起し片２０は左右方向に圧縮して曲げられる。これにより、蓋を形成する切起し片２０は弾性により切り起こされて開いた状態を保持される。このため、内容物を取り出す度に蓋を開く必要がなく、内容物を容易に取り出すことができる。
【００３８】
尚、左右の対向部３１は係止部３２の前方で平行に形成されるが、係止部３２に係止される位置で距離Ｌ１が距離Ｌ２よりも大きくなっていれば非平行でもよい。第２折返し部４２は係止部３２の根元３２ａを連結するが、係止部３２よりも前方（ヒンジ部４３の反対側）の対向部３１を連結していればよい。第１折返し部４１はヒンジ部４３の反対側に凸の曲線状でもよく、第２折返し部４２はヒンジ部４３側に凸の曲線状でもよい。
【００３９】
また、第１折返し部４１及び第２折返し部４２の頂点を前後にずれて配置してもよく、第１折返し部４１はヒンジ部４３に略平行な一直線状でもよい。この時、本実施形態に示すように第１折返し部４１をヒンジ部４３の反対側に凸に形成し、第１折返し部４１及び第２折返し部４２の頂点を一致させるとより望ましい。これにより、切起し片２０を第１、第２折返し部４１、４２上で折り返した際の皺を低減することができる。
【００４０】
本実施形態によると、対向部３１上に内側に突出した係止部３２に対してヒンジ部４３側に第１折返し部４１が設けられ、反対側にヒンジ部４３側に凸の第２折返し部４２が設けられる。また、係止部３２に係止される所定位置の対向部３１間の距離Ｌ１が係止部３２のヒンジ部４３側の根元３２ｂ間の距離Ｌ２よりも大きい。
【００４１】
これにより、切断線３０上で切断して切り起こされた切起し片２０の両側端を係止部３２により係止し、切起し片２０が切り起こされた状態を保持することができる。このため、切起し片２０により形成される蓋を開いた状態が保持され、内容物を取り出す度に蓋を開く必要がないため包装箱１の利便性を向上することができる。
【００４２】
また、第１折返し部４１がヒンジ部４３の反対側に凸に形成され、第１折返し部４１の頂点と第２折返し部４２の頂点とが点Ｐ上で一致する。これにより、切起し片２０を第１折返し部４１及び第２折返し部４２上で折り返した際に、切起し片２０の皺を低減することができる。
【００４３】
また、第１、第２折返し部４１、４２がＶ字状に形成され、第１折返し部４１のＶ字の二辺がそれぞれ第２折返し部４２のＶ字の二辺と一直線上に配される。これにより、ブランク板６上に交差する２直線の折り線４０を設けることによって、第１折返し部４１及び第２折返し部４２を容易に形成することができる。
【００４４】
また、対向部３１の一部が天面板１３上に設けられるとともに天面板１３の後端に折り線４０のヒンジ部４３を配置し、切起し片２０によって前方から開閉可能な蓋が形成される。これにより、開いた状態を保持できる蓋を容易に実現することができる。尚、ヒンジ部４３は天面板１３の後端よりも前方に設けてもよく、天面板１３の後部に設けられていればよい。
【００４５】
＜第２実施形態＞
次に、図５は第２実施形態の包装箱２の斜視図を示している。説明の便宜上、前述の図１〜図４に示す第１実施形態と同様の部分には同一の符号を付している。本実施形態は切起し片２０の形状が第１実施形態と異なっている。その他の部分は第１実施形態の包装箱１と同様である。
【００４６】
包装箱２は上下に天面板１３及び底面板１４（図６参照）が対向し、前後に前面板１１及び背面板１２（図６参照）が対向する。包装箱１の両側面には側面板１５（図６参照）及び側面板１６が配される。また、底面板１４の外面上には写真、絵等によって風景、人物等の所定の図柄が設けられる。
【００４７】
折り線４０から成るヒンジ部４３は天面板１３上の後部に後端から所定の間隔を有して配され、前方に凸のＶ字状に形成される。
【００４８】
切断線３０は天面板１３上に設けられ、ヒンジ部４３の両端から延びた一対の対向部３１の前端が連結部３４により連結される。係止部３２と連結部３４との間の対向部３１には内側に突出する凹部３３が設けられる。また、ヒンジ部４３と係止部３２との間の対向部３１は第１分割部３５と第２分割部３６とに分割される。
【００４９】
図６は包装箱２を形成するブランク板７の平面図を示している。ブランク板７は前面板１１、底面板１４、背面板１２、天面板１３及び糊代１８ｂが折り線４０を介して順に連設される。天面板１３の両側方には折り線４０を介して側面板１５、１６が連設される。底面板１４の両側方には折り線４０を介して糊代１８ａが設けられる。前面板１１及び背面板１２の両側方にはそれぞれ折り線４０を介して側面フラップ１９ａが設けられる。
【００５０】
各折り線４０上を山折りして側面フラップ１９ａの外面に糊代１８ａが配され、糊代１８ａの外面に側面板１５、１６が貼着される。また、糊代１８ｂの外面には前面板１１が貼着される。これにより、包装箱２（図５参照）が形成される。
【００５１】
切断線３０は対向する左右一対の対向部３１と、対向部３１の前端を連結する連結部３４とを有している。ヒンジ部４３と係止部３２との間の対向部３１は第１分割部３５と第２分割部３６とに分割される。第１分割部３５はヒンジ部４３から互いに離れる方向に傾斜して延びる。第２分割部３６は係止部３２からヒンジ部４３側に延び、第１分割部３５の外側に対向する。
【００５２】
係止部３２に対してヒンジ部４３の反対側の対向部３１上には内側に突出する凹部３３が設けられる。切起し片２０は切り起された際に凹部３３上で係止部３２の後方（ヒンジ部４３側）の根元３２ｂに係止される。
【００５３】
第１折返し部４１は係止部３２とヒンジ部４３との間の第１分割部３５を連結し、ヒンジ部４３の反対側に凸のＶ字状に形成される。第１折返し部４１の延長線上には第２分割部３６の後端と第１分割部３５とを連結する折り線４０から成る第１折曲部４５が設けられる。
【００５４】
第２折返し部４２は係止部３２に対してヒンジ部４３と反対側の対向部３１（本実施形態では係止部３２の根元３２ａ）を連結し、ヒンジ部４３側に凸のＶ字状に形成される。第１分割部３５の一端（前端）は第２折返し部４２上に到達する。これにより、切起し片２０には第１分割部３５、第１分割部３５に対向する第２分割部３６、第１折曲部４５及び第１折曲部４５に対向する第２折返し部４２により囲まれた連結片２３が設けられる。
【００５５】
第１分割部３５と第２折返し部４２との交点と、対向部３１とは折り線４０から成る第２折曲部４６により連結される。第２折曲部４６は第１折曲部４５と略平行に形成される。
【００５６】
また、切起し片２０上には連結部３４とヒンジ部４３とを連結する縦方向に延びた折り線４０から成る中央折曲部４４が設けられる。中央折曲部４４は対向部３１間の中央に配される。
【００５７】
図７、図８は開封後の包装箱２の斜視図及び要部上面図を示している。図８において、外面から見て谷折りの折り線４０は二点鎖線で示している。連結部３４上から切断した切り起し片２０を後方に向かって引くと天面板１３が切断線３０上で切断され、包装箱２が開封される。
【００５８】
開封後の切起し片２０はヒンジ部４３及び第１折曲部４５上で開口部４の内側に山折りされ、第１折返し部４１、第２折返し部４２及び第２折曲部４６上で谷折りされる。切起し片２０は両側端の凹部３３が係止部３２の後方の根元３２ｂにより係止され、根元３２ｂ上から開口部４の外側に突出する。この時、切起し片２０は左右方向に圧縮して中央折曲部４４上で曲げられる。これにより、第１実施形態と同様に、蓋を形成する切起し片２０は切り起こされて開いた状態を保持される。
【００５９】
また、内容物を取り出された後の包装箱２は図９の側面図に示すように底面板１４を前面に配し、切起し片２０をスタンドとして机上等の設置面Ｆ上に立設させることができる。これにより、底面板１４上に設けた図柄を鑑賞することができる。
【００６０】
尚、第２折曲部４６を省略してもよいが、第２折曲部４６を設けることにより連結片２３上の皺の発生を低減することができる。
【００６１】
本実施形態によると、第１実施形態と同様の効果を得ることができる。また、係止部３２に対してヒンジ部４３の反対側の対向部３１上に内側に突出する凹部３３を設け、切起し片２０が切り起された際に凹部３３上で係止部３２に係止される。これにより、切起し片２０が切り起された状態を確実に保持することができる。
【００６２】
また、対向部３１間の中央に配した縦方向に延びる折り線４０から成る中央折曲部４４を設けたので、係止部３２により左右方向に圧縮される切起し片２０の皺の発生を低減することができる。
【００６３】
また、対向部３１がヒンジ部４３の両端から延びて第２折返し部４２に到達する第１分割部３５と、係止部３２から延びて第１分割部３５に対向する第２分割部３６とに分割される。また、第１分割部３５と第２分割部３６とを連結する折り線４０から成る第１折曲部４５が設けられる。これにより、ヒンジ部４３及び第１折曲部４５上で山折りすることで係止部３２に係止される切起し片２０を容易に実現することができる。
【００６４】
また、第１折曲部４５が第１折返し部４１と一直線上に配されるので、ブランク板６上に直線の折り線４０を設けることによって、第１折返し部４１及び第１折曲部４５を容易に形成することができる。
【００６５】
また、第１分割部３５と第２折返し部４２との交点と、対向部３１とを連結して第１折曲部４５に平行な第２折曲部４６を設けることにより、連結片２３上の皺の発生を低減することができる。
【００６６】
また、底面板１４上に所定の図柄が形成され、底面板１４を前面に配した際に切起し片２０によってスタンドが形成される。これにより、開いた状態を保持できる蓋及び立設した包装箱２を支持するスタンドを容易に実現することができる。従って、包装箱２を立設して底面板１４上の図柄を鑑賞することができ、包装箱２の利便性をより向上することができる。
【００６７】
＜第３実施形態＞
次に、図１０は第３実施形態の包装箱３の斜視図を示している。説明の便宜上、前述の図５〜図９に示す第２実施形態と同様の部分には同一の符号を付している。本実施形態の包装箱３は第２実施形態と同様の切起し片２０が前面板１１に設けられる。その他の部分は第２実施形態の包装箱２と同様である。
【００６８】
包装箱３は上下に天面板１３及び底面板１４（図１１参照）が対向し、前後に前面板１１及び背面板１２（図１１参照）が対向する。包装箱１の両側面には側面板１５（図１１参照）及び側面板１６が配される。
【００６９】
折り線４０から成るヒンジ部４３は前面板１１上の下部に下端から所定の間隔を有して配され、上方に凸のＶ字状に形成される。
【００７０】
切断線３０は前面板１１上に設けられ、ヒンジ部４３の両端から延びた一対の対向部３１の上端が連結部３４により連結される。係止部３２と連結部３４との間の対向部３１には内側に突出する凹部３３が設けられる。また、対向部３１の下部は第１分割部３５と第２分割部３６とに分割される。
【００７１】
図１１は包装箱３を形成するブランク板８の平面図を示している。ブランク板８は側面板１５、背面板１２、側面板１６、前面板１１及び糊代１８ｃが折り線４０を介して順に連設される。前面板１１の上方には折り線４０を介して天面板１３が設けられ、天面板１３の先端には折り線４０を介して差込み片１３ａが設けられる。
【００７２】
側面板１５及び側面板１６の上方には折り線４０を介して天面フラップ１９ｂが設けられ、下方には折り線４０を介して底面フラップ１９ｃが設けられる。前面板１１の下方には折り線４０を介して底面板１４ａが設けられ、背面板１２の下方には折り線４０を介して底面板１４ｂが設けられる。
【００７３】
各折り線４０上を山折りして糊代１８ｃに側面板１５が貼着され、筒状の胴部が形成される。側面板１５、１６から折曲される底面フラップ１９ｃの外面上には底面板１４ａ、１４ｂが配され、底面板１４ａ、１４ｂが互いに係合して胴部の底面が閉じられる。側面板１５、１６から折曲される天面フラップ１９ｂの外面上には天面板１３が配される。天面板１３の差込み片１３ａを天面フラップ１９ｂと背面板１２との間に差し込むことにより、胴部の上面が閉じられる。これにより、包装箱３（図１０参照）が形成される。
【００７４】
切起し片２０は前面板１１上に第２実施形態と同様に形成され、ヒンジ部４３を下方に配して上方から切り起し可能になっている。また、切起し片２０の外縁を形成する切断線３０の連結部３４の上方には円弧状の円弧部３７が設けられる。切断線３０上で切断することにより、円弧部３７と連結部３４との間が切り取られ、手指を挿入可能な孔が形成される。
【００７５】
図１２は開封後の包装箱３の斜視図を示している。開封後の包装箱３の正面図は前述の図８と同様である。円弧部３７と円弧部３７に対向する連結部３４とを切断すると、半円状に切り取られた孔が形成される。この孔に手指を挿入して連結部３４上から切断した切起し片２０を下方に向かって引くと前面板１１が切断線３０上で切断され、包装箱３が開封される。
【００７６】
開封後の切起し片２０はヒンジ部４３及び第１折曲部４５上で開口部４の内側に山折りされ、第１折返し部４１、第２折返し部４２及び第２折曲部４６上で谷折りされる。切起し片２０は両側端の凹部３３が係止部３２の下方（ヒンジ部４３側）の根元３２ｂにより係止され、根元３２ｂ上から開口部４の外側に突出する。
【００７７】
これにより、切起し片２０が前面板１１上に開口した開口部４の下端部から前方に突出した状態を保持され、切起し片２０によって内容物を受けるトレイが形成される。トレイによって内容物が零れ落ちることを防止することができる。
【００７８】
本実施形態によると、上下面を閉じた胴部の前面に配される前面板１１の下部にヒンジ部４３を配置し、切起し片２０が上方から切り起し可能に形成される。これにより、第１、第２実施形態と同様に切起し片２０を切り起こした状態を保持することができる。このため、前方に突出した状態で保持されるトレイが切起し片２０により形成され、内容物が零れ落ちることを防止することができる。従って、包装箱３の利便性を向上することができる。
【産業上の利用可能性】
【００７９】
本発明によると、切断線上で切断することにより切り起し可能な切起し片が形成される菓子等の包装箱に利用することができる。
【符号の説明】
【００８０】
１、２、３  包装箱
４      開口部
６、７、８  ブランク板
１１      前面板
１２      背面板
１３      天面板
１４、１４ａ、１４ｂ  底面板
１５、１６  側面板
１７      前面フラップ
１８ａ、１８ｂ、１８ｃ  糊代
１９ａ    側面フラップ
１９ｂ    天面フラップ
１９ｃ    底面フラップ
２０      切起し片
２１      摘持部
２３      連結片
３０      切断線
３１      対向部
３２      係止部
３２ａ、３２ｂ  根元
３３      凹部
３４      連結部
３５      第１分割部
３６      第２分割部
３７      円弧部
４０      折り線
４１      第１折返し部
４２      第２折返し部
４３      ヒンジ部
４４      中央折曲部
４５      第１折曲部
４６      第２折曲部
Ｆ      設置面
Ｌ１、Ｌ２  距離
【図１】
2019099243.tif 000003
【図２】
2019099243.tif 000004
【図３】
2019099243.tif 000005
【図４】
2019099243.tif 000006
【図５】
2019099243.tif 000007
【図６】
2019099243.tif 000008
【図７】
2019099243.tif 000009
【図８】
2019099243.tif 000010
【図９】
2019099243.tif 000011
【図１０】
2019099243.tif 000012
【図１１】
2019099243.tif 000013
【図１２】
2019099243.tif 000014